(57)【特許請求の範囲】
【請求項１】
前側に遊技領域が設けられる遊技盤と、
前記遊技盤の後側に固定され、前方に向かって突出する壁部を有する裏ユニットと、
前記裏ユニットの壁部に固定される取付部材と、
前記取付部材に固定される遊技部材と、
を備え、
前記壁部には、前記取付部材の一端側の所定部位が接続される第一接続部、および前記取付部材の他端側に位置する一の前記遊技部材が固定された遊技部材固定部よりも中央側の所定部位が接続される第二接続部が設けられるとともに、前記遊技部材固定部が位置する部分に後方に向かって窪んだ凹部が形成され、
前記取付部材の一端側の所定部位を前記第一接続部に接続するとともに、前記取付部材の前記遊技部材固定部よりも中央側の所定部位を前記第二接続部に接続することで、前記遊技部材固定部を前記凹部内に位置させた状態で、前記取付部材を前記壁部の内面に沿って固定し、
前記遊技部材固定部には、前記凹部内に位置した状態における当該凹部の内壁面に対向する対向部分に、当該凹部の内壁面から離れる方向に切り欠かれた切欠部が形成されていることを特徴とする遊技機。
【請求項２】
前記遊技部材固定部は、前記壁部の外面よりも内側に位置していることを特徴とする請求項１に記載の遊技機。
【請求項３】
前記遊技部材固定部は、前方に前記遊技部材を挿入する入口となる開口が形成された前記遊技部材が収容される収容空間を構成する部分であり、
前記切欠部は、前記収容空間の側面を構成する前記壁部側の側面部と前記収容空間の底面を構成する底面部との前記凹部の内壁面側の境界部分に形成されていることを特徴とする請求項１または請求項２に記載の遊技機。
【発明の詳細な説明】
【技術分野】
【０００１】
本発明は、遊技盤の後方に設けられる裏ユニットに取り付けられる遊技部材を備えた遊技機に関する。
【背景技術】
【０００２】
下記特許文献１には、遊技盤の後方に取り付けられる裏ユニット（セット板１９）を備えた遊技機が記載されている。この裏ユニットには、役物等を駆動させるための駆動装置や、不正行為によって発生した磁力や電波、振動等を検出するための検出部材等といった複数の遊技部材が取り付けられる。
【先行技術文献】
【特許文献】
【０００３】
【特許文献１】特開２００８−２３５７５３９号公報
【発明の概要】
【発明が解決しようとする課題】
【０００４】
上記裏ユニットは、遊技機の種類毎に個別に作成するとコストが嵩むため、複数の機種に共通する裏ユニットを用いることがある。このように裏ユニットの共通化を図った場合、裏ユニットに汎用性をもたせたことによる弊害が生ずることがある。例えば、複数の遊技部材を取付部材を介して裏ユニットに取り付ける場合、取付部材の一端側を裏ユニットに接続（固定）することができても他端側が裏ユニットに接続（固定）できず、この接続できない他端側が裏ユニットと接触して変形、破損したりするおそれがあった。
【０００５】
本発明が解決しようとする課題は、取付部材を介して遊技部材が裏ユニットに取り付けられる遊技機において、取付部材の端部が裏ユニットに接続（固定）することができない場合であっても、部材の変形や破損を防止することが可能な遊技機を提供することにある。
【課題を解決するための手段】
【０００６】
上記課題を解決するためになされた請求項１の発明にかかる遊技機は、前側に遊技領域が設けられる遊技盤と、前記遊技盤の後側に固定され、前方に向かって突出する壁部を有する裏ユニットと、前記裏ユニットの壁部に固定される取付部材と、前記取付部材に固定される遊技部材と、を備え、前記壁部には、前記取付部材の一端側の所定部位が接続される第一接続部、および前記取付部材の他端側に位置する一の前記遊技部材が固定された遊技部材固定部よりも中央側の所定部位が接続される第二接続部が設けられるとともに、前記遊技部材固定部が位置する部分に後方に向かって窪んだ凹部が形成され、前記取付部材の一端側の所定部位を前記第一接続部に接続するとともに、前記取付部材の前記遊技部材固定部よりも中央側の所定部位を前記第二接続部に接続することで、前記遊技部材固定部を前記凹部内に位置させた状態で、前記取付部材を前記壁部の内面に沿って固定し、前記遊技部材固定部には、前記凹部内に位置した状態における当該凹部の内壁面に対向する対向部分に、当該凹部の内壁面から離れる方向に切り欠かれた切欠部が形成されていることを特徴とする。
【０００７】
請求項２に記載の発明は、請求項１に記載の遊技機において、前記遊技部材固定部は、前記壁部の外面よりも内側に位置していることを特徴とする。
【０００８】
請求項３に記載の発明は、請求項１または請求項２に記載の遊技機において、前記遊技部材固定部は、前方に前記遊技部材を挿入する入口となる開口が形成された前記遊技部材が収容される収容空間を構成する部分であり、前記切欠部は、前記収容空間の側面を構成する前記壁部側の側面部と前記収容空間の底面を構成する底面部との前記凹部の内壁面側の境界部分に形成されていることを特徴とする。
【発明の効果】
【０００９】
請求項１に記載の発明では、取付部材の一端側の所定部位を壁部の第一接続部に接続するとともに、取付部材の他端側に位置する遊技部材固定部よりも中央側の所定部位を壁部の第二接続部に接続することで、遊技部材固定部を凹部内に位置させた状態で、取付部材を壁部の内面に沿って固定する。取付部材の他端側は壁部（裏ユニット）に接続されていないために撓んでしまうおそれがあるところ、当該他端側に位置する遊技部材固定部には上記切欠部が形成されているから、凹部から外れてしまう方向への遊技部材固定部の移動を抑制することが可能となる。つまり、取付部材の他端側が撓むことによる部材の変形や破損を防止することが可能となる。
【００１０】
請求項２に記載の発明のように、遊技部材固定部が壁部の外面よりも内側に位置していれば、裏ユニットの壁部の外側に設置される他の部材と遊技部材固定部（取付部材の他端側）の干渉を防止することが可能となる。
【００１１】
請求項３に記載の発明によれば、遊技部材固定部に遊技部材を収容する収容機能をもたせつつ、凹部から外れてしまう方向への遊技部材固定部の移動を抑制することが可能となる。
【図面の簡単な説明】
【００１２】
【図１】本発明の実施形態にかかる遊技機の正面図（前方から見た図）である。
【図２】遊技盤の正面図（前方から見た図）である。
【図３】図３（ａ）は磁気センサが固定された取付部材が接続された裏ユニットの平面図（上から見た図）であり、図３（ｂ）はその正面図（前方から見た図）である。
【図４】磁気センサが固定された取付部材が接続された裏ユニットの外観図である。
【図５】凹部内に位置する他端側磁気センサ固定部を拡大して示した図である。
【図６】図６（ａ）は図５に示したＡ−Ａ線断面を模式的に示した図であって段差状の切欠部が形成された他端側磁気センサ固定部の断面図であり、図６（ｂ）は傾斜した切欠部が形成された他端側磁気センサ固定部の断面図である。
【図７】図７（ａ）は切欠部が形成されていない他端側磁気センサ固定部の断面を模式的に示した図であり、図７（ｂ）はその切欠部が形成されていない他端側磁気センサ固定部が壁部に引っ掛かった状態を示したものである。
【図８】図５および図６に示した位置とは異なる位置に切欠部が形成された他端側磁気センサ固定部の正面図（前方から見た図）である。
【発明を実施するための形態】
【００１３】
以下、本発明にかかる実施形態について図面を参照して詳細に説明する。なお、以下の説明における平面方向とは遊技盤１０の平面方向に沿う（平行な）方向を、前後方向とは遊技盤１０の平面方向に直交する方向（遊技者側を前、その反対側を後とする）を、上下方向とは図１における上下方向を、幅方向（左右方向）とは図１における左右方向をいうものとする。
【００１４】
まず、図１〜図３等を参照して遊技機１の全体構成について簡単に説明する。遊技機１は、額縁形状の機枠９０を有し、この機枠９０には前面枠９１が回動自在に支持されている。前面枠９１には、前側から遊技盤１０を視認可能とする透明な板が設けられている。
【００１５】
遊技盤１０は、ほぼ正方形の合板により成形されており、前面枠９１に着脱可能に取り付けられている。この遊技盤１０には、発射装置９６の操作によって発射された遊技球を遊技領域１２に案内する金属製の薄板からなる帯状のガイドレール９２が略円弧形状となるように設けられている。
【００１６】
遊技領域１２には、表示装置９３、第一始動入賞口９４１、第二始動入賞口９４２、第一大入賞口９４３、第二大入賞口９４４、アウト口９５などが設けられている。表示装置９３は、例えば液晶表示装置が用いられ、表示装置９３の表示画面（表示部）において特別図柄や普通図柄等が表示される。かかる表示装置９３の表示画面は、遊技盤１０に形成された開口１１を通じて視認可能である。
【００１７】
また、遊技領域１２には、流下する遊技球が衝突することにより遊技球の流下態様に変化を与える障害物としての遊技釘が複数設けられている。遊技領域１２を流下する遊技球は、遊技釘に衝突したときの条件に応じて様々な態様に変化する。
【００１８】
遊技機１の後側には、裏ユニット２（図３参照）が固定されている。この裏ユニット２には、主制御基板やサブ制御基板等の各種制御基板９７等が設けられている。この裏ユニット２の構成およびそれに取り付けられる遊技部材（遊技部材の取り付け構造）の詳細については後述する。
【００１９】
このような遊技機１では、発射装置９６（ハンドル）を操作することにより遊技領域１２に向けて遊技球を発射する。遊技領域１２を流下する遊技球が、始動入賞口９４１、９４２や大入賞口９４３、９４４等の入賞口に入賞すると、所定の数の賞球が払出装置により払い出される。その他、大当たりの抽選方法や演出等は、公知の遊技機と同様のものが適用できるため、説明は省略する。
【００２０】
以下、遊技機１が備える裏ユニット２の構成およびそれに取り付けられる遊技部材について図３〜図６を参照して詳細に説明する。上述したように、裏ユニット２は、合成樹脂製の本体部２０に各種制御基板９７等が設けられた組体である。裏ユニット２の本体部２０は、平面方向に沿う略矩形状の平面部２１、およびこの平面部２１の外縁から前方に向かって突出する壁部２２を有する。本実施形態では、本体部２０の平面部２１と壁部２２によって構成される内側の空間には役物や駆動装置が収容され、平面部２１の後側には各種制御基板９７が固定されている。また、本体部２０の周囲には、図示されない球タンクや球を搬送するレールや払出装置等で構成される払出セット体が設けられ、本体部２０の上側にはこの払出セット体の球タンクやレールが設置される。
【００２１】
裏ユニット２の本体部２０には遊技部材の一例である磁気センサ３０が固定されている。本実施形態の磁気センサ３０は略直方体形状であり、取付部材４０を介して裏ユニット２の本体部２０に固定されている。つまり、裏ユニット２の本体部２０に磁気センサ３０が取り付けられた取付部材４０が固定されている。その取り付け構造は以下の通りである。
【００２２】
前方に突出する本体部２０の壁部２２は、上下方向に沿う部分と、幅方向に沿う部分を含む。このうち、右側に位置する上下方向に沿う部分（以下右壁部２２ｒと称することもある）、および上側に位置する幅方向に沿う部分（以下上壁部２２ｕと称することもある）に取付部材４０が接続されている。この取付部材４０が接続される部位として、右壁部２２ｒの上下方向における略中央には第一接続部２２１が設けられている。さらに、右壁部２２ｒにおける第一接続部２２１より上方、および上壁部２２ｕの右方（右壁部２２ｒ側）には第二接続部２２２が設けられている。つまり、壁部２２には、取付部材４０を固定するための、一つの第一接続部２２１、二つの第二接続部２２２が設けられている。
【００２３】
取付部材４０は、略「Ｌ」字状に屈曲した部材であって、壁部２２に固定された状態において上下方向に沿う部分４０ｒ、および幅方向に沿う部分４０ｕを有する。この取付部材４０には、その長さ方向に沿って複数の磁気センサ３０が固定されている。本実施形態では、取付部材４０の一端（上下方向に沿う部分４０ｒの下端）側から他端（幅方向に沿う部分４０ｕの左端）側まで、おおよそ等間隔に並ぶように磁気センサ３０が固定されている。本実施形態にかかる遊技機１では、遊技領域１２に、所定の遊技状態（例えば確率変動状態や時間短縮状態、大当たり状態等）となったときに遊技球を通過させる特別経路１３（図１および図２参照）が設けられており、これらの磁気センサ３０はこの特別経路１３に沿って設けられることになる。各磁気センサ３０は、この特別経路１３内を遊技球が通過しているか否かや、特別経路１３に磁石を近づける等の不正行為が発生していないかを検出するために設けられる。
【００２４】
各磁気センサ３０は、取付部材４０に設けられた磁気センサ固定部に固定されている。以下、この複数の磁気センサ固定部のうち、最も取付部材４０の他端側に位置する一の磁気センサ３０を固定する磁気センサ固定部を、他の磁気センサ固定部４３と区別し、他端側磁気センサ固定部４２と称する。この他端側磁気センサ固定部４２が、本発明における取付部材４０の他端側に位置する一の遊技部材が固定された遊技部材固定部に相当する。
【００２５】
他端側磁気センサ固定部４２は、前方に磁気センサ３０を挿入する入口となる開口が形成された磁気センサ３０が収容される収容空間Ｓを構成する部分である。収容空間Ｓは、収容空間Ｓの側面を構成する四つの側面部４２１と、収容空間Ｓの底面（開口の反対側）を構成する底面部４２２とで構成される。一の側面部４２１の開口側には、弾性変形可能な爪部４２３が設けられている。磁気センサ３０を開口に押しつけると、爪部４２３が外側に向かって弾性変形する。そのまま磁気センサ３０を収容空間Ｓ内に挿入すると、爪部４２３の弾性変形が解消され、爪部４２３の先端が磁気センサ３０に引っ掛かった状態となる。つまり、爪部４２３により収容空間Ｓからの磁気センサ３０の抜け落ちが防止される。
【００２６】
この他端側磁気センサ固定部４２には、詳細を後述する切欠部４２４が形成されている。他端側磁気センサ固定部４２以外の磁気センサ固定部４３の構成は、各磁気センサ３０を固定することができる構成であれば特に限定されない。本実施形態では、各磁気センサ固定部４３は、切欠部４２４が形成されていることを除いて他端側磁気センサ固定部４２と同じ構成を有する。なお、取付部材４０には、振動センサやノイズセンサといったその他の種類の遊技部材が固定されていてもよい。
【００２７】
取付部材４０の一端側の所定部位は、上記右壁部２２ｒに設けられた第一接続部２２１に接続（固定）されている。本実施形態では取付部材４０の上下方向に沿う部分４０ｒの下端が第一接続部２２１に接続（固定）されている。また、他端側磁気センサ固定部４２よりも中央側の所定部位（取付部材４０における中央側の所定部位ことをいう。すなわち取付部材４０における他端側磁気センサ固定部４２が設けられた位置よりも一端側の部位をいう）は、上記右壁部２２ｒおよび上壁部２２ｕに設けられた第二接続部２２２に接続（固定）されている。本実施形態では取付部材４０の上下方向に沿う部分４０ｒの略中央（第一接続部２２１に接続（固定）される部分よりも上方）、および幅方向に沿う部分４０ｕの略中央（他端側磁気センサ固定部４２よりも右方）が第二接続部２２２に接続（固定）されている。つまり、取付部材４０における他端側磁気センサ固定部４２が設けられた部分、すなわち取付部材４０の他端側は壁部２２に接続（固定）されていない。したがって、他端側磁気センサ固定部４２は、第二接続部２２２で壁部２２に接続（固定）された取付部材４０における幅方向に沿う部分４０ｕの略中央を支点として、合成樹脂製である取付部材４０が変形可能な範囲（撓みうる範囲）で動き得る箇所とであるということになる。なお、壁部２２と取付部材４０の接続方法は特定の方法に限定されない。本実施形態では取付部材４０に形成された貫通孔に通されたネジが、壁部２２に設けられたネジ孔（上記第一接続部２２１および二つの第二接続部２２２に相当する）に螺合されることにより壁部２２と取付部材４０が接続（固定）されている。
【００２８】
壁部２２には後方に向かって窪んだ凹部２２３が形成されている。この凹部２２３は上壁部２２ｕの中央寄り部位に形成されている。本実施形態の凹部２２３は、前方および左方が開放した形状のものであるが、このような形状に限られない。例えば、前方のみが開放した凹部２２３であってもよい。この壁部２２に形成される凹部２２３は、裏ユニット２の本体部２０が、本実施形態にかかる遊技機１以外の遊技機（別の機種）と共通化され、当該本実施形態にかかる遊技機１とは異なる遊技機に用いられる場合に、配線（例えば本体部２０の後側に位置する各種制御基板９７と本体部２０の前側に位置する駆動源を繋ぐ配線）が通される部分として利用される。つまり、本実施形態では、このような配線が通される箇所として利用される凹部を、他端側磁気センサ固定部４２の配置スペースとして利用し、裏ユニット２のコンパクト化を図っている。
【００２９】
壁部２２に対して磁気センサ３０が固定された取付部材４０が所定位置に接続されると、他端側磁気センサ固定部４２は上記凹部２２３内に位置する。つまり、後方に向かって窪んだ凹部２２３の幅方向に沿う内壁面に対して略平行に底面部４２２が位置し、凹部２２３の前後方向に沿う内壁面に対して略平行に一の側面部４２１（右側面部４２１ｒ）が位置する。また、他端側磁気センサ固定部４２は、その全体が壁部２２の外面よりも内側に位置している。すなわち、壁部２２の外面よりも外側に他端側磁気センサ固定部４２が突出しないように設定されている。本実施形態では、他端側磁気センサ固定部４２の上側の側面部４２１（上側面部４２１ｕ）と、壁部２２の外面とが略面一になるように設定されている。凹部２２３内に位置する他端側磁気センサ固定部４２における底面部４２２と上側面部４２１ｕとの境界部分（凹部２２３の内壁面側の境界部分）、すなわち凹部２２３の幅方向に沿う内壁面に対向する対向部分には、当該凹部２２３の幅方向に沿う内壁面から離れる方向に切り欠かれた切欠部４２４が形成されている。
【００３０】
この「内壁面から離れる方向に切り欠かれた切欠部４２４」の具体例としては、図６（ａ）に示すような段差が形成されるように切り欠かれてなるものや、図６（ｂ）に示すような斜面が形成されるように切り欠かれてなるものが例示できる。つまり、このような切欠部４２４が存在していない場合（図７（ａ）に示すような構成である場合）と比較して、凹部２２３の内壁面と他端側磁気センサ固定部４２における対向部分との距離が大きくなるようなものであればよい。
【００３１】
このような他端側磁気センサ固定部４２に切欠部４２４が形成された構成とすれば、次のような作用効果が奏される。他端側磁気センサ固定部４２は最も近い第二接続部２２２を支点として取付部材４０が変形可能な範囲で動き得るため、図７（ａ）に示すように上記切欠部４２４が形成されていない他端側磁気センサ固定部４２ｐとした場合、図７（ｂ）に示すように他端側磁気センサ固定部４２ｐが壁部２２に引っ掛かってしまう（壁部２２の内側に入り込んでしまう）ことがある。このように壁部２２に引っ掛かってしまうと、他端側磁気センサ固定部４２ｐ（取付部材４０）や壁部２２が破損、変形したりするおそれがある。また、他端側磁気センサ固定部４２ｐに固定された磁気センサ３０の位置が変わってしまうことによって検出精度が低下してしまうおそれがある。
【００３２】
これに対し、他端側磁気センサ固定部４２における凹部２２３の内壁面に対向する対向部分に、当該凹部２２３の内壁面から離れる方向に切り欠かれた切欠部４２４が形成されていれば、他端側磁気センサ固定部４２が壁部２２の内側に入り込んでしまう方向に取付部材４０が変形したとしても、従来であれば引っ掛かっていた箇所が存在しないのであるから他端側磁気センサ固定部４２の引っ掛かりの発生（図７（ｂ）に示した状態の発生）を防止することが可能となる。つまり、他端側磁気センサ固定部４２（取付部材４０）や壁部２２が破損、変形したりするおそれや、磁気センサ３０の位置が変わってしまうことによって検出精度が低下してしまうことを防止することが可能となる。特に、切欠部４２４が図６（ｂ）に示したような斜面が形成されるような構成であれば、壁部２２に他端側磁気センサ固定部４２が引っ掛かったとしても、取付部材４０の弾性により斜面上を壁部２２が滑るようにして当該引っ掛かった状態が解消され、他端側磁気センサ固定部４２は所定の位置に戻る。
【００３３】
また、このような切欠部４２４が形成されているため、他端側磁気センサ固定部４２を壁部２２の外面よりも内側に位置させること（本実施形態のように他端側磁気センサ固定部４２の上側面部４２１ｕと、壁部２２の外面とが略面一になるように設定すること）が可能となる。つまり、他端側磁気センサ固定部４２が壁部２２の外面よりも内側に位置させていると、他端側磁気センサ固定部４２が壁部２２の内側に入り込んで引っ掛かってしまうおそれが高くなってしまうところ、本実施形態では上記切欠部４２４が形成されることにより当該引っ掛かりの発生が防止されているため、壁部２２の外面よりも内側に他端側磁気センサ固定部４２を配置することができる。他端側磁気センサ固定部４２が壁部２２の外面より外側に突出しなければ、他端側磁気センサ固定部４２とその他の部材（本実施形態では、裏ユニット２の本体部２０の上部に配置される球タンク等）との干渉を防止することが可能となる。別の見方をすれば、このような部材同士の干渉を防止するため、部材同士の距離を大きく設定することによる遊技機１の大型化を抑制することが可能となる。
【００３４】
以上、本発明の実施の形態について詳細に説明したが、本発明は上記実施の形態に何ら限定されるものではなく、本発明の要旨を逸脱しない範囲で種々の改変が可能である。
【００３５】
例えば、上記実施形態において、他端側磁気センサ固定部４２の底面部４２２と上側面部４２１ｕの境界部分に切欠部４２４が形成されていることを説明したが、切欠部４２４が形成される位置はこれに限られるものではない。例えば、図８に示すように、他端側磁気センサ固定部４２の上側面部４２１ｕと右側面部４２１ｒの境界部分に切欠部４２４ｃが形成されていても上記と同様の効果が得られる。つまり、凹部２２３の内壁面に対向する部分であれば、その他の部分に切欠部４２４が形成されていてもよい。例えば、凹部２２３が前方のみ開放する形状のものであれば、他端側磁気センサ固定部４２の上側面部４２１ｕと左側面部４２１ｌの境界部分に切欠部が形成されていてもよい。
【００３６】
また、上記実施形態では、遊技部材として磁気センサ３０を例に説明したが、裏ユニット２の本体部２０に固定される部材であれば、その他の部材にも同様の技術思想が適用可能である。
【００３７】
また、上記実施形態では、取付部材４０を接続するための接続部として、右壁部２２ｒの上下方向における略中央に一つの第一接続部２２１が、右壁部２２ｒにおける第一接続部２２１より上方および上壁部２２ｕの右方に二つの第二接続部２２２が設けられていることを説明したが、このような構成に限られるものではない。取付部材４０の一端側の所定部位が一または複数の第一接続部２２１に接続され、取付部材４０における中央側の所定部位が一または複数の第二接続部２２２に接続され、他端側磁気センサ固定部４２が設けられる取付部材４０の他端側が壁部２２に接続されない構成（他端側磁気センサ固定部４２がそれに最も近い第二接続部２２２を支点として取付部材４０が変形可能な範囲で動き得る構成）であれば、同様の技術思想が適用可能である。
【符号の説明】
【００３８】
１  遊技機
２  裏ユニット
１０  遊技盤
２０  （裏ユニットの）本体部
２２  壁部
２２１  第一接続部
２２２  第二接続部  
２２３  凹部
３０  磁気センサ
４０  取付部材
４２  他端側磁気センサ固定部（遊技部材固定部）
Ｓ  収容空間
４２１  側面部
４２２  底面部
４２４  切欠部
【要約】
【課題】取付部材の端部が裏ユニットに接続（固定）することができない場合であっても、部材の変形や破損を防止することが可能な遊技機の提供。
【解決手段】取付部材４０の一端側の所定部位を第一接続部２２１に接続（固定）するとともに、取付部材４０の遊技部材固定部４２よりも中央側の所定部位を第二接続部２２２に接続（固定）することで、遊技部材固定部４２を凹部２２３内に位置させた状態で、取付部材４０を壁部２２の内面に沿って固定し、遊技部材固定部４２には、凹部２２３内に位置した状態における当該凹部２２３の内壁面に対向する対向部分に、当該凹部２２３の内壁面から離れる方向に切り欠かれた切欠部４２４が形成されている。
【選択図】図６【図１】
0005389242.tif 000002
【図２】
0005389242.tif 000003
【図３】
0005389242.tif 000004
【図４】
0005389242.tif 000005
【図５】
0005389242.tif 000006
【図６】
0005389242.tif 000007
【図７】
0005389242.tif 000008
【図８】
0005389242.tif 000009